(57)【要約】【課題】印刷ジョブの作成を中断すると共に中断した印刷ジョブを他の装置に送信して作成を再開する。【解決手段】印刷ジョブの作成を画像登録管理部２２による画像登録とテンプレート設定管理部２３によるテンプレート選択とレイアウト編集管理部２４によるレイアウト編集と印刷管理部２５による印刷とにより行ない、ジョブ中断処理部２６によりいずかの工程にある印刷ジョブの作成を中断して新規な印刷ジョブの作成が開始できる状態にする。所望のタイミングでジョブ再開処理部２７を起動して作成を中断した印刷ジョブの作成を再開する。また、ジョブ出力管理部２８を起動して中断した印刷ジョブをファイル化してジョブ管理装置４０に送信する。印刷ジョブ作成装置２０はジョブ入力管理部２９を起動してジョブ管理装置４０から印刷ジョブを入力して作成を再開できる状態とする。【選択図】        図１
2004280161.tif 000002
【特許請求の範囲】
【請求項１】
画像を印刷するための印刷ジョブを作成する印刷ジョブ作成装置であって、
情報を記憶可能な情報記憶手段と、
印刷ジョブを作成している最中に中断指示を受け付けたとき、該作成中の印刷ジョブを作成中ジョブとして前記情報記憶手段に記憶させると共に新規な印刷ジョブの作成を実行可能な状態とする中断時処理手段と、
作成中ジョブの作成の再開指示を受け付けたとき、前記情報記憶手段から対応する作成中ジョブを読み出して前記中断指示を受け付けたときの状態として印刷ジョブの作成を実行可能な状態とする再開時処理手段と、
を備える印刷ジョブ作成装置。
【請求項２】
前記印刷ジョブの作成は、画像登録工程とテンプレート選択工程と印刷指示工程とを含む複数の工程によって行なわれる請求項１記載の印刷ジョブ作成装置。
【請求項３】
前記複数の工程は、前記テンプレート選択工程と前記印刷指示工程との間にレイアウト編集工程を含む請求項２記載の印刷ジョブ作成装置。
【請求項４】
作成中ジョブを一覧表示するジョブ表示手段を備える請求項１ないし３いずれか記載の印刷ジョブ作成装置。
【請求項５】
前記ジョブ表示手段は、作成中ジョブの作成内容を表示する手段である請求項４記載の印刷ジョブ作成装置。
【請求項６】
請求項４または５記載の印刷ジョブ作成装置であって、
作成中ジョブの情報の一つとしてのコメントを入力するコメント入力手段を備え、
前記ジョブ表示手段は、作成中ジョブのコメントを表示する手段である
印刷ジョブ作成装置。
【請求項７】
前記ジョブ表示手段は、前記再開指示を受け付ける手段である請求項４ないし６いずれか記載の印刷ジョブ作成装置。
【請求項８】
作成中ジョブの指定を伴った出力指示を受け付けたとき、該出力指示に係る作成中ジョブを所定の形式のジョブファイルとして出力するジョブファイル出力手段を備える請求項１ないし７いずれか記載の印刷ジョブ作成装置。
【請求項９】
前記ジョブファイル出力手段は、前記テンプレート選択工程以降の工程にある作成中ジョブをジョブファイルとして出力する手段である請求項２または３に係る請求項８記載の印刷ジョブ作成装置。
【請求項１０】
ジョブファイルの指定を伴ったジョブの入力指示を受け付けたとき、該入力指示に係るジョブファイルから作成中ジョブを入力すると共に該入力した作成中ジョブを前記情報記憶手段に記憶させるジョブ入力手段を備える請求項１ないし９いずれか記載の印刷ジョブ作成装置。
【請求項１１】
複数種類の印刷サービスから一つの印刷サービスを選択して印刷ジョブを作成する請求項１ないし１０いずれか記載の印刷ジョブ作成装置。
【請求項１２】
前記複数種類の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含む請求項１１記載の印刷ジョブ作成装置。
【請求項１３】
作成中ジョブの指定を伴った複製指示を受け付けたとき、該指定に係る作成中ジョブにおいて登録された画像を複製すると共に該複製した画像を登録した段階の新たな作成中ジョブを作成して前記情報記憶手段に記憶させる複製処理手段を備える請求項１ないし１２いずれか記載の印刷ジョブ作成装置。
【請求項１４】
請求項１３記載の印刷ジョブ作成装置であって、
作成された印刷ジョブに対する実行指示を受け付けたとき、該実行指示に係る印刷ジョブの内容を実行済みジョブとして前記情報記憶手段に記憶させる実行時処理手段を備え、
前記複製処理手段は、前記実行済みジョブの指定を伴った複製指示を受け付けたときには、該指定に係る実行済みジョブにおいて登録された画像を複製すると共に該複製した画像を登録した段階の新たな作成中ジョブを作成して前記情報記憶手段に記憶させる手段である請求項１１記載の印刷ジョブ作成装置。
【請求項１５】
前記複製処理手段は、前記指定に係る作成中ジョブまたは実行済みジョブとは異なる種類の印刷サービスについての印刷ジョブに係る作成中ジョブを作成して前記情報記憶手段に記憶させる手段である請求項１１または１２に係る請求項１３または１４記載の印刷ジョブ作成装置。
【請求項１６】
コンピュータを請求項１ないし１５いずれか記載の印刷ジョブ作成装置として機能させるプログラム。
【請求項１７】
ネットワークを介して接続された複数の印刷ジョブ作成装置とジョブ管理装置とを備える印刷ジョブ管理システムであって、
前記印刷ジョブ作成装置は、情報を記憶可能な情報記憶手段と、印刷ジョブを作成している最中に中断指示を受け付けたときに該作成中の印刷ジョブを作成中ジョブとして前記情報記憶手段に記憶させると共に新規な印刷ジョブの作成を実行可能な状態とする中断時処理手段と、作成中ジョブの作成の再開指示を受け付けたときに前記情報記憶手段から対応する作成中ジョブを読み出して前記中断指示を受け付けたときの状態として印刷ジョブの作成を実行可能な状態とする再開時処理手段と、送信先情報と作成中ジョブの指定とを伴った送信指示を受け付けたときに該送信指示に係る作成中ジョブを所定の形式のジョブファイルとして送信先情報を伴って前記ジョブ管理装置に送信する送信時処理手段と、前記ジョブ管理装置からジョブファイルを受信したときに該受信に係るジョブファイルから作成中ジョブを入力すると共に該入力した作成中ジョブを前記情報記憶手段に記憶させる受信時処理手段と、を備え、
前記ジョブ管理装置は、情報を記憶可能な情報記憶手段と、前記印刷ジョブ作成装置から送信先情報を伴ったジョブファイルを受信したときに該受信したジョブファイルを送信先情報と共に前記情報記憶手段に記憶させるジョブファイル受信処理手段と、所定のタイミングで前記情報記憶手段に記憶されたジョブファイルを該ジョブファイルと共に記憶された送信先情報に係る送信先の印刷ジョブ作成装置に送信するジョブファイル送信処理手段と、を備える
印刷ジョブ管理システム。
【請求項１８】
請求項１７記載の印刷ジョブ管理システムであって、
前記所定のタイミングは、前記ネットワークを介していずれかの印刷ジョブ作成装置からジョブファイルの送信の要請がなされたタイミングであり、
前記ジョブ管理装置のジョブファイル送信処理手段は、前記要請に係る印刷ジョブ作成装置を送信先とする送信先情報と共に前記情報記憶装置に記憶されているジョブファイルを抽出して該要請に係る印刷ジョブ作成装置に送信する手段である
印刷ジョブ管理システム。
【請求項１９】
前記印刷ジョブ作成装置の送信時処理手段は、コメントを受け付けると共に受け付けたコメントを伴ったジョブファイルとして送信する手段である請求項１７または１８記載の印刷ジョブ管理システム。
【請求項２０】
請求項１７ないし１９いずれか記載の印刷ジョブ管理システムであって、
前記印刷ジョブ作成装置は、前記印刷ジョブを画像登録工程とテンプレート選択工程と印刷指示工程とを含む複数の工程によって作成する装置であり、
前記印刷ジョブ作成装置の送信時処理手段は、前記テンプレート選択工程以降の工程にある作成中ジョブを送信する手段である
印刷ジョブ管理システム。
【請求項２１】
画像を印刷するための印刷ジョブを複数の工程をもって作成する複数の印刷ジョブ作成装置間のネットワークを介しての作成中の印刷ジョブのやりとりを管理するジョブ管理装置であって、
情報を記憶可能な情報記憶手段と、
前記ネットワークを介して前記印刷ジョブ作成装置から作成中の印刷ジョブをファイル化したジョブファイルと送信先としての印刷ジョブ作成装置を含む送信先情報とを受信したとき、該受信したジョブファイルと送信先情報とを関連付けて前記情報記憶手段に記憶させるジョブファイル受信処理手段と、
所定のタイミングで前記情報記憶手段に記憶されたジョブファイルを該ジョブファイルに関連付けて記憶された送信先情報に係る印刷ジョブ作成装置に送信するジョブファイル送信処理手段と、
を備えるジョブ管理装置。
【請求項２２】
請求項２１記載のジョブ管理装置であって、
前記所定のタイミングは、前記ネットワークを介していずれかの印刷ジョブ作成装置からジョブファイルの送信の要請がなされたタイミングであり、
前記ジョブファイル送信処理手段は、前記要請に係る印刷ジョブ作成装置を送信先に含む送信先情報と関連付けられて前記情報記憶装置に記憶されているジョブファイルを抽出して該要請に係る印刷ジョブ作成装置に送信する手段である
ジョブ管理装置。
【請求項２３】
コンピュータを請求項２１または２２記載のジョブ管理装置として機能させるプログラム。
【発明の詳細な説明】
【０００１】
【発明の属する技術分野】
本発明は、印刷ジョブ作成装置およびジョブ管理装置並びにこれらを備える印刷ジョブ管理システムに関し、詳しくは、画像を印刷するための印刷ジョブを作成する印刷ジョブ作成装置および画像を印刷するための印刷ジョブを複数の工程をもって作成する複数の印刷ジョブ作成装置間のネットワークを介しての作成中の印刷ジョブのやりとりを管理するジョブ管理装置並びにこうした印刷ジョブ作成装置とジョブ管理装置とを備える印刷ジョブ管理システムに関する。
【０００２】
【従来の技術】
従来、この種の印刷ジョブ作成装置としては、デジタルカメラなどにより撮影した画像を自由なレイアウトを用いてアルバムを作成するものが提案されている（例えば、非特許文献１参照）。この装置では、作成しようとするアルバムのテーマやレイアウト，台紙などを順に一覧から選択する「デザインの選択」と、アルバムとして印刷する画像を選択する「写真の選択」と、更にコメントなどを入力してアルバムのページを作成する「作成」との三つの工程により印刷ジョブを作成し、最終的に作成しようとするアルバムを表示画面で確認させた後に印刷する。
【０００３】
【非特許文献１】
ＡＩ．ｓｏｆｔ、「デジカメ写真で自慢のアルバムを作ろう！」、［平成１５年２月１５日検索］、インターネット＜ＵＲＬ：ｈｔｔｐ：／／ａｉ２ｙｏｕ．ｃｏｍ／ｉｍａｇｉｎｇ／ｐｒｏｄｕｃｔｓ／ｄｐｅ６ａｐ／ｄｐｅａｓ１．ａｓｐ＞
【０００４】
【発明が解決しようとする課題】
しかしながら、こうした印刷ジョブ作成装置では、一般の個人用に開発されているため、フォトスタジオなどの業務用として使用するには不向きである。例えば、印刷ジョブを作成している最中に新たな顧客からの印刷注文を受ける際に作成中の印刷ジョブを一旦中止する必要が生じるが、この装置では作成途中にある印刷ジョブの中断はできない。また、顧客からの印刷注文を受け付ける部門と印刷を実行する部門とが分かれている場合には、印刷注文を受け付ける際に顧客の要望を取り入れる必要から印刷ジョブをある程度の段階までは印刷注文を受け付ける部門で行ない、そこから先の印刷ジョブの作成およびその実行は印刷を実行する部門で行なうのが望ましいが、印刷ジョブの中断や作成途中にある印刷ジョブのやりとりが必要となり、上述した装置では行なうことができない。
【０００５】
本発明の印刷ジョブ作成装置は、作成途中の印刷ジョブの中断を可能とすることを目的の一つとする。また、本発明の印刷ジョブ作成装置は、作成途中の印刷ジョブを他の印刷ジョブ作成装置とやりとりすることを目的の一つとする。本発明のジョブ管理装置は、印刷ジョブ作成装置間における作成中の印刷ジョブのやりとりを管理することを目的とする。本発明の印刷ジョブ管理システムは、印刷ジョブ作成装置間で作成中の印刷ジョブを適正にやりとりできるシステムを提供することを目的とする。
【０００６】
【課題を解決するための手段およびその作用・効果】
本発明の印刷ジョブ作成装置およびジョブ管理装置並びにこれらを備える印刷ジョブ管理システムは、上述の目的の少なくとも一部を達成するために以下の手段を採った。
【０００７】
本発明の印刷ジョブ作成装置は、
画像を印刷するための印刷ジョブを作成する印刷ジョブ作成装置であって、
情報を記憶可能な情報記憶手段と、
印刷ジョブを作成している最中に中断指示を受け付けたとき、該作成中の印刷ジョブを作成中ジョブとして前記情報記憶手段に記憶させると共に新規な印刷ジョブの作成を実行可能な状態とする中断時処理手段と、
作成中ジョブの作成の再開指示を受け付けたとき、前記情報記憶手段から対応する作成中ジョブを読み出して前記中断指示を受け付けたときの状態として印刷ジョブの作成を実行可能な状態とする再開時処理手段と、
を備えることを要旨とする。
【０００８】
この本発明の印刷ジョブ作成装置では、印刷ジョブを作成している最中に中断指示を受け付けたときには、その作成中の印刷ジョブを作成中ジョブとして情報記憶手段に記憶させると共に新規な印刷ジョブの作成を実行可能な状態とし、作成中ジョブの作成の再開指示を受け付けたときには、情報記憶手段から対応する作成中ジョブを読み出して中断指示を受け付けたときの状態として印刷ジョブの作成を実行可能な状態とするから、印刷ジョブの作成を中断することができる。
【０００９】
こうした本発明の印刷ジョブ作成装置において、前記印刷ジョブの作成は、画像登録工程とテンプレート選択工程と印刷指示工程とを含む複数の工程によって行なわれるものとすることもできる。この場合、前記複数の工程は、前記テンプレート選択工程と前記印刷指示工程との間にレイアウト編集工程を含むものとすることもできる。
【００１０】
また、本発明の印刷ジョブ作成装置において、作成中ジョブを一覧表示するジョブ表示手段を備えるものとすることもできる。こうすれば、作成中ジョブの存在を知らせることができる。
【００１１】
このジョブ表示手段を備える態様の本発明の印刷ジョブ作成装置において、前記ジョブ表示手段は、作成中ジョブの作成内容を表示する手段であるものとすることもできる。こうすれば、作成中ジョブの作成内容を知らせることができる。
【００１２】
また、ジョブ表示手段を備える態様の本発明の印刷ジョブ作成装置において、作成中ジョブの情報の一つとしてのコメントを入力するコメント入力手段を備え、前記ジョブ表示手段は作成中ジョブのコメントを表示する手段であるものとすることもできる。こうすれば、作成中ジョブについてコメントを入力して表示することができるから、印刷ジョブの作成の再開時にコメントを役立てることができる。
【００１３】
さらに、ジョブ表示手段を備える態様の本発明の印刷ジョブ作成装置において、前記ジョブ表示手段は、前記再開指示を受け付ける手段であるものとすることもできる。こうすれば、ユーザは再開指示を行ないたい作成中ジョブを容易に指示することができる。
【００１４】
本発明の印刷ジョブ作成装置において、作成中ジョブの指定を伴った出力指示を受け付けたとき、該出力指示に係る作成中ジョブを所定の形式のジョブファイルとして出力するジョブファイル出力手段を備えるものとすることもできる。こうすれば、作成中ジョブをファイルとして出力することができる。即ち、ファイルを送信したり持ち運び可能な記憶媒体に記憶させて持ち運んだりすることができるのである。この態様であって印刷ジョブの作成を画像登録工程とテンプレート選択工程と印刷指示工程とを含む複数の工程で行なう態様の本発明の印刷ジョブ作成装置において、前記ジョブファイル出力手段は、前記テンプレート選択工程以降の工程にある作成中ジョブをジョブファイルとして出力する手段であるものとすることもできる。こうすれば、印刷注文を受けて印刷ジョブを作成する場合であっても注文主の意向を受け付ける段階まで印刷ジョブの作成を行なうものとすることができ、その後の処理を容易にすることができる。
【００１５】
本発明の印刷ジョブ作成装置において、ジョブファイルの指定を伴ったジョブの入力指示を受け付けたとき、該入力指示に係るジョブファイルから作成中ジョブを入力すると共に該入力した作成中ジョブを前記情報記憶手段に記憶させるジョブ入力手段を備えるものとすることもできる。こうすれば、作成途中の印刷ジョブを受け入れることができる。
【００１６】
本発明の印刷ジョブ作成装置において、複数種類の印刷サービスから一つの印刷サービスを選択して印刷ジョブを作成するものとすることもできる。ここで、複数種類の印刷サービスとしては、大伸ばし印刷サービスやダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスなどを挙げることができる。
【００１７】
本発明の印刷ジョブ作成装置において、作成中ジョブの指定を伴った複製指示を受け付けたとき、該指定に係る作成中ジョブにおいて登録された画像を複製すると共に該複製した画像を登録した段階の新たな作成中ジョブとして前記情報記憶手段に記憶させる複製処理手段を備えるものとすることもできる。こうすれば、作成中の印刷ジョブを用いて同一の画像を用いた新たな印刷ジョブを作成する際の手間を省くことができる。この態様の本発明の印刷ジョブ作成装置において、作成された印刷ジョブに対する実行指示を受け付けたとき、該実行指示に係る印刷ジョブの内容を実行済みジョブとして前記情報記憶手段に記憶させる実行時処理手段を備え、前記複製処理手段は、前記実行済みジョブの指定を伴った複製指示を受け付けたときには、該指定に係る実行済みジョブにおいて登録された画像を複製すると共に該複製した画像を登録した段階の新たな作成中ジョブとして前記情報記憶手段に記憶させる手段であるものとすることもできる。こうすれば、実行済みの印刷ジョブを用いて同一の画像を用いた新たな印刷ジョブを作成する際の手間を省くことができる。
【００１８】
これらの複製処理手段を備える態様であって複数種類の印刷サービスについての印刷ジョブを作成する態様の本発明の印刷ジョブ作成装置において、前記複製処理手段は、前記指定に係る作成中ジョブまたは実行済みジョブとは異なる種類の印刷サービスについての印刷ジョブに係る作成中ジョブを作成して前記情報記憶手段に記憶させる手段であるものとすることもできる。こうすれば、作成中ジョブや実行済みジョブを用いて同一の画像を用いた新たな異なる印刷サービスについての印刷ジョブを作成する際の手間を省くことができる。
【００１９】
本発明の印刷ジョブ作成装置用のプログラムは、コンピュータを上述したいずれかの態様の本発明の印刷ジョブ作成装置、即ち、基本的には、画像を印刷するための印刷ジョブを作成する印刷ジョブ作成装置であって、情報を記憶可能な情報記憶手段と、印刷ジョブを作成している最中に中断指示を受け付けたとき、該作成中の印刷ジョブを作成中ジョブとして前記情報記憶手段に記憶させると共に新規な印刷ジョブの作成を実行可能な状態とする中断時処理手段と、作成中ジョブの作成の再開指示を受け付けたとき、前記情報記憶手段から対応する作成中ジョブを読み出して前記中断指示を受け付けたときの状態として印刷ジョブの作成を実行可能な状態とする再開時処理手段と、を備える印刷ジョブ作成装置として機能させることを要旨とする。
【００２０】
この本発明の印刷ジョブ作成装置用のプログラムでは、コンピュータを上述したいずれかの態様の本発明の印刷ジョブ作成装置として機能させるから、本発明の印刷ジョブ作成装置が奏する効果、例えば、印刷ジョブの作成を中断することができる効果や作成中ジョブをファイルとして出力することができる効果，ファイル化された作成中ジョブを入力することができる効果，作成中の印刷ジョブを用いて同一の画像を用いた新たな印刷ジョブを作成する際の手間を省くことができる効果などと同様な効果を奏することができる。
【００２１】
本発明の印刷ジョブ管理システムは、
ネットワークを介して接続された複数の印刷ジョブ作成装置とジョブ管理装置とを備える印刷ジョブ管理システムであって、
前記印刷ジョブ作成装置は、情報を記憶可能な情報記憶手段と、印刷ジョブを作成している最中に中断指示を受け付けたときに該作成中の印刷ジョブを作成中ジョブとして前記情報記憶手段に記憶させると共に新規な印刷ジョブの作成を実行可能な状態とする中断時処理手段と、作成中ジョブの作成の再開指示を受け付けたときに前記情報記憶手段から対応する作成中ジョブを読み出して前記中断指示を受け付けたときの状態として印刷ジョブの作成を実行可能な状態とする再開時処理手段と、送信先情報と作成中ジョブの指定とを伴った送信指示を受け付けたときに該送信指示に係る作成中ジョブを所定の形式のジョブファイルとして送信先情報を伴って前記ジョブ管理装置に送信する送信時処理手段と、前記ジョブ管理装置からジョブファイルを受信したときに該受信に係るジョブファイルから作成中ジョブを入力すると共に該入力した作成中ジョブを前記情報記憶手段に記憶させる受信時処理手段と、を備え、
前記ジョブ管理装置は、情報を記憶可能な情報記憶手段と、前記印刷ジョブ作成装置から送信先情報を伴ったジョブファイルを受信したときに該受信したジョブファイルを送信先情報と共に前記情報記憶手段に記憶させるジョブファイル受信処理手段と、所定のタイミングで前記情報記憶手段に記憶されたジョブファイルを該ジョブファイルと共に記憶された送信先情報に係る送信先の印刷ジョブ作成装置に送信するジョブファイル送信処理手段と、を備える
ことを要旨とする。
【００２２】
この本発明の印刷ジョブ管理システムでは、印刷ジョブ作成装置は、印刷ジョブを作成している最中に中断指示を受け付けたときに作成中の印刷ジョブを作成中ジョブとして情報記憶手段に記憶させると共に新規な印刷ジョブの作成を実行可能な状態とし、作成中ジョブの作成の再開指示を受け付けたときに情報記憶手段から対応する作成中ジョブを読み出して前記中断指示を受け付けたときの状態として印刷ジョブの作成を実行可能な状態とする。そして、送信先情報と作成中ジョブの指定とを伴った送信指示を受け付けたときに送信指示に係る作成中ジョブを所定の形式のジョブファイルとして送信先情報を伴ってジョブ管理装置に送信し、ジョブ管理装置からジョブファイルを受信したときに受信に係るジョブファイルから作成中ジョブを入力すると共に入力した作成中ジョブを情報記憶手段に記憶させる。したがって、作成途中の印刷ジョブをジョブファイルとして送信先情報と共にジョブ管理装置に送信することができる。また、ジョブ管理装置からジョブファイルを受信して作成中の印刷ジョブとして印刷ジョブの作成を再開することができる。また、本発明の印刷ジョブ管理システムでは、ジョブ管理装置は、印刷ジョブ作成装置から送信先情報を伴ったジョブファイルを受信したときに受信したジョブファイルを送信先情報と共に情報記憶手段に記憶させ、所定のタイミングで情報記憶手段に記憶されたジョブファイルをこのジョブファイルと共に記憶された送信先情報に係る送信先の印刷ジョブ作成装置に送信する。したがって、印刷ジョブ作成装置から受信したジョブファイルを所定のタイミングで送信先の印刷ジョブ作成装置に送信することができる。また、印刷ジョブ作成装置間のジョブファイルのやりとりを管理することができる。
【００２３】
こうした本発明の印刷ジョブ管理システムにおいて、前記所定のタイミングは前記ネットワークを介していずれかの印刷ジョブ作成装置からジョブファイルの送信の要請がなされたタイミングであり、前記ジョブ管理装置のジョブファイル送信処理手段は前記要請に係る印刷ジョブ作成装置を送信先とする送信先情報と共に前記情報記憶装置に記憶されているジョブファイルを抽出して該要請に係る印刷ジョブ作成装置に送信する手段であるものとすることもできる。こうすれば、ジョブファイルの受け入れ側の要請に基づいてジョブファイルの送信先への送信を行なうことができる。
【００２４】
また、本発明の印刷ジョブ管理システムにおいて、前記印刷ジョブ作成装置の送信時処理手段は、コメントを受け付けると共に受け付けたコメントを伴ったジョブファイルとして送信する手段であるものとすることもできる。こうすれば、作成途中にある印刷ジョブのその後の作成についてのコメントを付して作成中ジョブを送信先の印刷ジョブ作成装置に送ることができる。
【００２５】
さらに、本発明の印刷ジョブ管理システムにおいて、前記印刷ジョブ作成装置は前記印刷ジョブを画像登録工程とテンプレート選択工程と印刷指示工程とを含む複数の工程によって作成する装置であり、前記印刷ジョブ作成装置の送信時処理手段は前記テンプレート選択工程以降の工程にある作成中ジョブを送信する手段であるものとすることもできる。こうすれば、印刷注文を受けて印刷ジョブを作成する場合であっても注文主の意向を受け付ける段階まで印刷ジョブの作成を行なうものとすることができ、その後の処理を容易にすることができる。
【００２６】
本発明のジョブ管理装置は、
画像を印刷するための印刷ジョブを複数の工程をもって作成する複数の印刷ジョブ作成装置間のネットワークを介しての作成中の印刷ジョブのやりとりを管理するジョブ管理装置であって、
情報を記憶可能な情報記憶手段と、
前記ネットワークを介して前記印刷ジョブ作成装置から作成中の印刷ジョブをファイル化したジョブファイルと送信先としての印刷ジョブ作成装置を含む送信先情報とを受信したとき、該受信したジョブファイルと送信先情報とを関連付けて前記情報記憶手段に記憶させるジョブファイル受信処理手段と、
所定のタイミングで前記情報記憶手段に記憶されたジョブファイルを該ジョブファイルに関連付けて記憶された送信先情報に係る印刷ジョブ作成装置に送信するジョブファイル送信処理手段と、
を備えることを要旨とする。
【００２７】
この本発明のジョブ管理装置では、ネットワークを介して印刷ジョブ作成装置から作成中の印刷ジョブをファイル化したジョブファイルと送信先としての印刷ジョブ作成装置を含む送信先情報とを受信したときに、この受信したジョブファイルと送信先情報とを関連付けて情報記憶手段に記憶させ、所定のタイミングで情報記憶手段に記憶されたジョブファイルをこのジョブファイルに関連付けて記憶された送信先情報に係る印刷ジョブ作成装置に送信する。したがって、印刷ジョブ作成装置から受信したジョブファイルを所定のタイミングで送信先の印刷ジョブ作成装置に送信することができる。また、印刷ジョブ作成装置間のジョブファイルのやりとりを管理することができる。
【００２８】
こうした本発明のジョブ管理装置において、前記所定のタイミングは前記ネットワークを介していずれかの印刷ジョブ作成装置からジョブファイルの送信の要請がなされたタイミングであり、前記ジョブファイル送信処理手段は前記要請に係る印刷ジョブ作成装置を送信先に含む送信先情報と関連付けられて前記情報記憶装置に記憶されているジョブファイルを抽出して該要請に係る印刷ジョブ作成装置に送信する手段であるものとすることもできる。こうすれば、ジョブファイルの受け入れ側の要請に基づいてジョブファイルの送信先への送信を行なうことができる。
【００２９】
本発明のジョブ管理装置用のプログラムは、コンピュータを上述のいずれかの態様の本発明のジョブ管理装置、即ち、基本的には、画像を印刷するための印刷ジョブを複数の工程をもって作成する複数の印刷ジョブ作成装置間のネットワークを介しての作成中の印刷ジョブのやりとりを管理するジョブ管理装置であって、情報を記憶可能な情報記憶手段と、前記ネットワークを介して前記印刷ジョブ作成装置から作成中の印刷ジョブをファイル化したジョブファイルと送信先としての印刷ジョブ作成装置を含む送信先情報とを受信したとき、該受信したジョブファイルと送信先情報とを関連付けて前記情報記憶手段に記憶させるジョブファイル受信処理手段と、所定のタイミングで前記情報記憶手段に記憶されたジョブファイルを該ジョブファイルに関連付けて記憶された送信先情報に係る印刷ジョブ作成装置に送信するジョブファイル送信処理手段と、を備えるジョブ管理装置として機能させることを要旨とする。
【００３０】
この本発明のジョブ管理装置用のプログラムは、コンピュータを上述のいずれかの態様の本発明のジョブ管理装置として機能させるから、本発明のジョブ管理装置が奏する効果、例えば、印刷ジョブ作成装置から受信したジョブファイルを所定のタイミングで送信先の印刷ジョブ作成装置に送信することができる効果や印刷ジョブ作成装置間のジョブファイルのやりとりを管理することができる効果などと同様な効果を奏することができる。
【００３１】
【発明の実施の形態】
次に、本発明の実施の形態を実施例を用いて説明する。図１は、本発明の一実施例である印刷ジョブ管理システム１０の構成の概略を示す構成図である。実施例の印刷ジョブ管理システム１０は、図示するように、印刷ジョブを作成する複数の印刷ジョブ作成装置２０と、印刷ジョブを管理するジョブ管理装置４０と、大型プリンタ５０と、インクジェットプリンタ５２とをネットワーク１２で接続して構成されている。
【００３２】
各印刷ジョブ作成装置２０は、アプリケーションソフトウエアとしての図示しない印刷ジョブ作成プログラムと印刷に用いるテンプレート画像などの支援データとがインストールされた一般的なコンピュータとして構成されており、印刷ジョブ作成プログラムが実行されたときに印刷ジョブ作成装置として機能する。各印刷ジョブ作成装置２０は、カレンダーの作成やポストカードの作成など複数の印刷サービスとしての印刷ジョブを作成すると共に印刷ジョブの実行を指示する装置であり、機能ブロックとして、複数の印刷サービスから印刷ジョブを作成するサービスの設定を受け付けるサービス設定管理部２１と、印刷ジョブに用いる画像の登録を管理する画像登録管理部２２と、印刷ジョブに用いるテンプレートの設定を管理するテンプレート設定管理部２３と、画像のレイアウトを調整や画像に施す編集を管理するレイアウト編集管理部２４と、印刷を管理する印刷管理部２５と、作成中の印刷ジョブの中断処理を行なうジョブ中断処理部２６と、中断された作成中の印刷ジョブ（以下、作成中ジョブという）の作成を再開するジョブ再開処理部２７と、作成中ジョブの出力を管理するジョブ出力管理部２８と、作成中ジョブの入力を管理するジョブ入力管理部２９と、作成中ジョブや印刷実行済みのジョブを用いて新たな作成中ジョブを作成するジョブ複製処理部３０とを備える。図１には、紙面の都合上、２台の印刷ジョブ作成装置２０を示したが、ネットワーク１２には３台以上の印刷ジョブ作成装置２０を接続することができる。印刷ジョブ作成装置２０の動作の詳細については後述する。
【００３３】
ジョブ管理装置４０は、各印刷ジョブ作成装置２０から送信された作成中ジョブを受け付けると共にその作成中ジョブの送信先として指定された他の印刷ジョブ作成装置２０に送信するための管理サーバとして構成されており、印刷ジョブ作成装置２０から送信される作成中ジョブの受信を管理するジョブ受信管理部４１と、作成中ジョブの送信先としての印刷ジョブ作成装置２０への送信を管理するジョブ送信管理部４２と、ジョブ受信管理部４１による作成中ジョブの受信の管理に用いられると共にジョブ送信管理部４２による作成中ジョブの送信の管理に用いられるジョブ管理データベース４４とを備える。ジョブ管理装置４０の動作の詳細については後述する。
【００３４】
大型プリンタ５０は、Ａ１サイズまでの高品質なカラー印刷が可能なプリンタとして構成されている。また、インクジェットプリンタ５２は、Ａ４サイズまでの高品質なカラー印刷が可能なプリンタとして構成されている。図１には、紙面の都合上、プリンタとしては大型プリンタ５０とインクジェットプリンタ５２の２台を示したが、ネットワーク１２には同一または異なる種類の３台以上のプリンタを接続することができる。
【００３５】
次に、こうして構成された実施例の印刷ジョブ管理システム１０の動作について説明する。まず、印刷ジョブ作成装置２０の基本的な動作について説明し、その後、印刷ジョブ作成装置２０とジョブ管理装置４０とが関連する動作について説明する。
【００３６】
図２は、アプリケーションソフトウエアとしての図示しない印刷ジョブ作成プログラムを起動したときの印刷ジョブ作成装置２０の画面上に表示されるメニュー画面６０の一例を示す説明図である。図２のメニュー画面６０には、印刷サービスを選択するためのサービス選択領域６１と、印刷ジョブを一覧表示するジョブリスト領域６２とが設けられている。サービス選択領域６１には、プリントサービスの選択ボタンとして、画像を大判印刷する「大伸ばし」ボタン６１ａ，複数の画像をダイジェストとして印刷する「ダイジェスト」ボタン６１ｂ，画像を用いてカレンダーを印刷する「カレンダー」ボタン６１ｃ，種々のデザインのテンプレートを用いて画像を印刷する「アイデア」ボタン６１ｄ，ハガキに画像を印刷する「ポストカード」ボタン６１ｅ，写真付きの名刺を印刷する「写真名刺」ボタン６１ｆ，証明写真を印刷する「証明写真」ボタン６１ｇ，多数の画像のインデックスを印刷する「インデックス」ボタン６１ｈ，画像を用いたシールを作成する「シール」ボタン６１ｉ，ＣＤやＤＶＤなどのラベルを作成する「ラベル」６１ｊなど、アルバムサービスの選択ボタンとして、種々のデザインのテンプレートを用いてアルバムを作成する「デザイン」ボタン６１ｋ，シンプルなテンプレートを用いてアルバムを作成する「シンプル」６１ｌなど、ＣＤ書き込みサービスとして、画像をそのままＣＤに書き込む「ＣＤ書き込み（無変換）」ボタン６１ｍ，画像のサイズを１６００×１２００にリサイズしてＣＤに書き込む「ＣＤ書き込み（１６００×１２００）」ボタン６１ｎなど、が用意されている。ジョブリスト領域６２には、作成中ジョブについて、その状況，ジョブＩＤ，サービス名，受付時間，更新時間，用紙サイズ，部数，合計枚数，コメントが一覧表示されるようになっている。作成中ジョブやジョブリスト領域６２の表示については後述する。また、メニュー画面６０には、ジョブリスト領域６２の下方に「アプリケーションの終了」ボタン６３や「環境設定」ボタン６４も設けられている。
【００３７】
実施例の印刷ジョブ作成装置２０による印刷ジョブの作成は、図３に例示する印刷ジョブ作成処理に基づいて行なわれる。印刷ジョブ作成処理は、まず、印刷サービスの選択を受け付ける処理から始まる（ステップＳ１００）。印刷サービスの選択は、ユーザがメニュー画面６０のサービス選択領域６１からいずれかのサービスボタン６１ａ〜６１ｍを選択することにより行なわれる。印刷ジョブ作成装置２０のサービス設定管理部２１は、こうしたメニュー画面６０の表示や選択されたサービスの選択の受け付け及び選択されたサービスによる印刷ジョブの作成の開始を管理している。
【００３８】
印刷サービスが選択されると、実施例の印刷ジョブ作成装置２０は、図４に例示する画像登録画面７０を表示して、選択された印刷サービスに用いる画像の登録処理を実行する（ステップＳ１１０）。図４の例の画像登録画面７０は、印刷ジョブの作成の工程を示す工程表示領域７１と、画像の登録処理を行なう画像登録処理領域７２とに区分けされている。工程表示領域７１には、選択された印刷サービスの種類を示す「サービス種類表示」ボタン７１ａや印刷ジョブの作成工程としての「画像登録」ボタン７１ｂ，「テンプレート選択」ボタン７１ｃ，「レイアウト編集」ボタン７１ｄ，「印刷」ボタン７１ｅ，印刷ジョブの作成を中断してメニュー画面６０に戻る「メニューに戻る」ボタン７１ｆが設けられている。画像登録処理領域７２は、「画像登録」ボタン７１ｂと連結して表示されており、印刷ジョブの作成工程が画像登録の工程にあることが解るようになっている。
【００３９】
この画像登録処理領域７２には、作業領域７３が設けられており、この作業領域７３には、画像が格納されている格納場所（ディレクトリやフォルダ）を選択することによりその格納場所に格納されている画像のサムネイルとファイル名とを一覧表示するための画像選択領域７４と、登録された画像のサムネイルとファイル名とを一覧表示するための登録画像表示領域７５とが設けられている。また、作業領域７３には、画像選択領域７４で選択された画像を登録して登録画像表示領域７５で表示するための「登録」ボタン７６や画像選択領域７４に表示されたすべての画像を登録して登録画像表示領域７５で表示するための「すべて登録」ボタン７７も設けられている。したがって、ユーザは、画像選択領域７４の格納場所表示領域７４ａから画像の格納場所を選択し、この選択により画像選択領域７４の画像表示領域７４ｂに表示される画像（選択された格納場所に格納された画像）から所望の画像を選択して「登録」ボタン７６を操作することにより所望の画像を登録して登録画像表示領域７５の画像表示領域７５ａに表示することができる。登録画像表示領域７５には、画像表示領域７５ａで選択した画像の登録を取り消すための「登録削除」ボタン７５ｂや登録されたすべての画像の登録を取り消すための「すべて登録削除」ボタン７５ｃなども設けられている。また、画像登録処理領域７２には、画像の登録処理を終了して次の作成工程に進むための「次のステップへ」ボタン７２ａや前の作成工程に戻る「前のステップへ」ボタン７２ｂも設けられている。なお、画像登録画面７０における「前のステップへ」ボタン７２ｂは、画像登録処理を終了してメニュー画面６０に戻るためのボタンとなるから、機能的には「メニューに戻る」ボタン７１ｆと同一となる。印刷ジョブ作成装置２０の画像登録管理部２２は、こうした画像の登録処理を管理している。
【００４０】
画像が登録されて「次のステップへ」ボタン７２ａが操作されると、図５に例示するテンプレート選択画面８０を表示して、登録された画像をはめ込むためのテンプレートの選択処理を実行する（ステップＳ１２０）。図５の例のテンプレート選択画面８０は、図４に例示した画像登録画面７０の工程表示領域７１と同様の工程表示領域８１と、テンプレートの選択を行なうテンプレート選択処理領域８２とに区分けされている。このテンプレート選択画面８０では、工程表示領域８１の「テンプレート選択」ボタン８１ｃがテンプレート選択処理領域８２と連結されており、印刷ジョブの作成工程がテンプレート選択の工程にあることが解るようになっている。
【００４１】
テンプレート選択処理領域８２には、テンプレートの設定を行なうための設定領域８３と、テンプレートを選択するためのテンプレート選択領域８４とが設けられている。設定領域８３には、テンプレートとして使用する使用レイアウトを直接入力する入力欄やフチなしプリントを設定するためのチェックボックス，「Ｐｒｉｎｔ  Ｉｍａｇｅ  Ｍａｔｃｈｉｎｇ  ２」や「Ｅｘｉｆ  Ｐｒｉｎｔ」を使用してデジタルカメラとプリンタとのイメージマッチングを行なうためのチェックボックスが設けられている。テンプレート選択領域８４には、テンプレートの種類毎にタグ８５ａ〜８５ｆが設けられており、各タグ８５ａ〜８５ｆには、テンプレートのサムネイルとそのファイル名とを一覧表示するためのテンプレート表示領域８６ａ〜８６ｆが設けられている。ユーザは、各タグ８５ａ〜８５ｆから所望のタグを選択すると共に選択したタグのテンプレート表示領域に表示されたテンプレートから所望のテンプレートを選択することにより、テンプレートの選択を行なうことができる。なお、このテンプレートの選択が行なわれると、設定領域８３の使用レイアウトの入力欄に選択したファイル名が表示されるようになっている。なお、テンプレート選択領域８４には、用紙サイズを選択するための用紙サイズの選択入力欄も設けられている。また、テンプレート選択処理領域８２には、画像登録処理領域７２と同様に「次のステップへ」ボタン８２ａと「前のステップへ」ボタン８２ｂとが設けられている。テンプレート選択画面８０では、「前のステップへ」ボタン８２ｂが操作されると、画像登録画面７０を表示して印刷ジョブの作成工程における前の工程である画像の登録処理８ステップＳ１１０）に戻る。印刷ジョブ作成装置２０のテンプレート設定管理部２３は、こうしたテンプレートの選択処理を管理している。
【００４２】
テンプレートが選択されて「次のステップへ」ボタン８２ａが操作されると、図６に例示するレイアウト編集画面９０を表示して、画像のレイアウトを調整したり編集を施すレイアウト編集処理を実行する（ステップＳ１３０）。図６の例のレイアウト編集画面９０は、図４に例示した画像登録画面７０や図５に例示したテンプレート選択画面８０の工程表示領域７１，８１と同様の工程表示領域９１と、画像のレイアウトや編集などを行なうためのレイアウト編集処理領域９２とに区分けされている。このレイアウト編集画面９０では、工程表示領域９１の「レイアウト編集」ボタン９１ｄがレイアウト編集処理領域９２と連結されており、印刷ジョブの作成工程がレイアウト編集の工程にあることが解るようになっている。
【００４３】
レイアウト編集処理領域９２には、選択されたテンプレートと登録された画像とを組み合わせて画像のレイアウトを行なったり画像の編集を行なうためのレイアウト編集領域９３と、テンプレートに組み合わせる画像を選択するための画像選択領域９４と、選択したテンプレートのサムネイルが表示されるサムネイル表示領域９７とが設けられている。画像選択領域９４には、登録画像を選択するためのタグ９５ａとテキストを書き込むためのタグ９５ｂとが設けられており、タグ９５ａには登録された画像とそのファイル名を一覧表示する画像表示領域９６ａが設けられている。また、図示しないが、タグ９５ｂには、テキストを入力するためのテキスト入力欄が設けられている。画像選択領域９４には、選択された画像をレイアウト編集領域９３のテンプレートに配置する「配置」ボタン９４ａや選択された画像をレイアウト編集領域９３のテンプレートに配置された画像と入れ替える「入れ替え」ボタン９４ｂと、選択された１枚の画像をテンプレートの複数の領域に配置する「複数配置」ボタン９４ｃとが設けられている。したがって、ユーザは、タグ９５ａの画像表示領域９６ａに表示された画像から所望の画像を選択して「配置」ボタン９４ａを操作することにより選択されたテンプレートの領域に順に画像を配置することができる。また、レイアウト編集領域９３のテンプレートの領域に画像が配置されている状態でタグ９５ａの画像表示領域９６ａに表示された画像から所望の画像を選択して「入れ替え」ボタン９４ｂを操作することによりテンプレートの領域の画像を入れ替えることができる。さらに、タグ９５ａの画像表示領域９６ａに表示された画像から所望の画像を選択して「複数配置」ボタン９４ｃを操作することによりテンプレートの複数の領域に選択した画像を複数配置することができる。レイアウト編集処理領域９２には、画像登録画面７０やテンプレート選択画面８０と同様に「次のステップへ」ボタン９２ａや「前のステップへ」ボタン９２ｂが設けられている。また、レイアウト編集処理領域９２には、レイアウト編集領域９３に表示されたテンプレートに組み込まれた画像に編集を加えるための「編集」ボタン９２ｃとレイアウト編集領域９３の表示倍率を変更するための「表示倍率」ボタン９２ｄとが設けられている。レイアウト編集領域９３のテンプレートに配置された画像を選択して「編集」ボタン９２ｃを操作すると、プルダウンメニューが表示され、回転，フレームの回転，上下左右の反転，トリミング，型抜き，輪郭をソフト・シャープにする，明るさ・コントラストの設定，色を変える，セピア・モノクロ調に変換，クロスフィルタ，赤目の修正，クローン，自動修正などが選択できるようになっている。印刷ジョブ作成装置２０のレイアウト編集管理部２４は、こうした画像のレイアウトや編集処理を管理している。
【００４４】
レイアウト編集画面９０により選択されたテンプレートに画像を組み込み、更に所望の編集を施して「次のステップへ」ボタン９２ａが操作されると、図７に例示する印刷画面１００を表示して、種々の印刷設定を行なって印刷する印刷処理を実行する（ステップＳ１４０）。図７の例の印刷画面１００は、画像登録画面７０やテンプレート選択画面８０，レイアウト編集画面９０の工程表示領域７１，８１，９１と同様の工程表示領域１０１と、印刷設定と印刷実行とを指示するための印刷処理領域１０２とに区分けされている。この印刷画面１００では、工程表示領域１０１の「印刷」ボタン１０１ｅが印刷処理領域１０２と連結されており、印刷ジョブの作成工程が印刷の工程にあることが解るようになっている。
【００４５】
印刷処理領域１０２には、テンプレートに組み込まれレイアウトや編集が施されて印刷される画像を表示する印刷画像表示領域１０３と、印刷ジョブの情報を表示するジョブ情報表示領域１０４と、印刷条件を設定する印刷条件設定領域１０５と、プリンタを設定するプリンタ設定領域１０６とが設けられている。ジョブ情報表示領域１０４には、印刷ジョブの情報としてジョブＩＤや受付日時，サービス，テンプレートＩＤなどが表示されており、印刷部数を選択入力する部数設定欄も設けられている。印刷条件設定領域１０５には、プリント範囲を設定するためのラジオボタンや設定欄，プリント対象を設定するためのラジオボタン，ページ番号を印刷するか否かを設定するためのラジオボタンが設けられている。プリンタ設定領域１０６には、印刷するプリンタを選択するプリンタ選択欄やカラーマネジメントシステム（ＣＭＳ）を使用するか否かを選択するためのチェックボックス，印刷領域を設定する領域設定入力欄などが設けられており、用紙サイズや選択したプリンタに設定されている用紙タイプも表示される。なお、プリンタ設定領域１０６のプリンタ選択欄には、環境設定として印刷サービスと用紙サイズに応じて予め設定されたプリンタがデフォルトとして選択された状態として表示される。印刷処理領域１０２には、「前のステップへ」ボタン１０２ｂや印刷の実行を指示する「印刷開始」ボタン１０２ｃ，印刷の代わりに画像ファイルとして所望のディレクトリやフォルダに書き出す「書き出し」ボタン１０２ｄが設けられている。実施例の印刷ジョブ作成装置２０における印刷ジョブの作成は、この「印刷開始」ボタン１０２ｃや「書き出し」ボタン１０２ｄが操作される前までの処理であり、「印刷開始」ボタン１０２ｃや「書き出し」ボタン１０２ｄの操作は、こうした印刷ジョブの実行となる。なお、「印刷開始」ボタン１０２ｃや「書き出し」ボタン１０２ｄを操作すると、選択したプリンタで印刷を実行したり画像ファイルの書き出しをして、メニュー画面６０の印刷サービスの選択処理に戻る。なお、図３の印刷ジョブ作成処理では、この段階で終了するものとして示した。実施例の印刷ジョブ作成装置２０の印刷管理部２５は、こうした印刷に関する処理を管理している。
【００４６】
次に、画像登録画面７０やテンプレート選択画面８０，レイアウト編集画面９０，印刷画面１００で「メニューに戻る」ボタン７１ｆ，８１ｆ，９１ｆ，１０１ｆが操作されたときの処理、即ち、印刷ジョブの作成を中断してメニュー画面６０に戻る際の処理について説明する。この処理はジョブ中断処理部２６により実行される。図８は、各画面で「メニューに戻る」ボタン７１ｆ，８１ｆ，９１ｆ，１０１ｆが操作されたときに実行されるジョブ中断処理の一例を示すフローチャートである。印刷ジョブを作成している最中にいずれかの画面から「メニューに戻る」ボタン７１ｆ，８１ｆ，９１ｆ，１０１ｆが操作されると、印刷ジョブの作成を中断する旨のメッセージ、例えば「サービスを終了し、メインメニューに戻ります。よろしいですか？」が含まれる図９に例示する確認画面を表示して印刷ジョブの中断の確認処理を行なう（ステップＳ２００）。ユーザが印刷ジョブの中断を確認すると、作成中の印刷ジョブの状態を記憶し（ステップＳ２１０）、メニュー画面６０のジョブリスト領域６２にジョブリストを追加し（ステップＳ２２０）、メニュー画面６０を表示して（ステップＳ２３０）、印刷ジョブ作成処理における印刷サービスの選択処理（図３のステップＳ１００）の状態、即ち、新たな印刷ジョブの作成を行なうことができる状態とする。
【００４７】
図１０は、作成中ジョブの管理状態の一例を示す説明図である。作成中ジョブは、印刷サービスが選択されたときにジョブＩＤが付与されてジョブ管理ファイル１２０に登録されると共に管理領域１２２が作成される。そして、画像登録画面７０により画像が登録される際に画像登録用領域１２４が設けられる。管理領域１２２は、印刷ジョブの作成工程がどの工程にあるかを示すジョブ状態や作成中ジョブに含まれる各ページのファイル名が格納される作品管理領域１２２ａと、各ページが格納されるページ格納領域１２２ｂとにより構成されている。なお、ページ格納領域１２２ｂは、ページの概念が生じるテンプレートが選択された段階で作成される。画像登録用領域１２４は、各画像のファイル名やファイル形式が格納される画像管理領域１２４ａと、ファイル形式毎に画像が格納される画像格納領域１２４ｂとにより構成されている。なお、実施例の印刷ジョブ作成装置２０では、テンプレートの選択処理が実行されるまでは、ページの概念が生じないため、テンプレートが選択されたとき、即ちレイアウト編集処理に移行したときに管理領域１２２のページ格納領域１２２ｂは作成されることになる。したがって、図８のジョブ中断処理のステップＳ２１０の印刷ジョブの状態の記憶処理は、テンプレートが選択される前の段階の画像登録画面７０やテンプレート選択画面８０で「メニューに戻る」ボタン７１ｆ，８１ｆが操作されたときには、作品管理領域１２２ａにジョブ状態を格納する処理となり、テンプレートが選択された後の段階のレイアウト編集画面９０や印刷画面１００で「メニューに戻る」ボタン９１ｆ，１０１ｆが操作されたときには、作品管理領域１２２ａにジョブ状態を格納すると共にページ格納領域１２２ｂに各ページを格納する処理となる。テンプレートが選択される前の段階で「メニューに戻る」ボタン７１ｆ，８１ｆが操作されたときのメニュー画面６０の一例を図１１に示し、テンプレートが選択された後の段階で「メニューに戻る」ボタン９１ｆ，１０１ｆが操作されたときのメニュー画面６０の一例を図１２に示す。図１１や図１２に示すように、いずれかの画面で「メニューに戻る」ボタン７１ｆ，８１ｆ，９１ｆ，１０１ｆが操作されると、メニュー画面６０のジョブリスト領域６２に対象の作成中ジョブが追加表示される。このとき、作成中ジョブの状況には、テンプレートが選択される前の段階で「メニューに戻る」ボタン７１ｆ，８１ｆが操作されたときには「編集前」と表示され、テンプレートが選択された後の段階で「メニューに戻る」ボタン９１ｆ，１０１ｆが操作されたときには「編集中」と表示される。こうした状況の表示により、ユーザは作成中ジョブがテンプレートが選択された後の段階であるか否かを把握することができる。
【００４８】
こうして印刷ジョブの作成を中断された作成中ジョブは、印刷ジョブの作成の再開を行なうことができる。この処理はジョブ再開処理部２７により実行される。図１３は、作成中ジョブが選択されて再開指示がなされたときに実行されるジョブ再開処理の一例を示すフローチャートである。作成中ジョブの選択と再開指示は、例えば、ジョブリスト領域６２の作成中ジョブをダブルクリックすることにより行なうことができる。ジョブリスト領域６２から作成中ジョブが選択されて再開指示されると、ジョブＩＤに基づいて対応する作成中ジョブの作品管理領域１２２ａからジョブ状態を読み込むと共に（ステップＳ３００）、ジョブ状態に応じた処理画面を表示し（ステップＳ３１０）、対応する作成中ジョブのページ格納領域１２２ｂに格納された各ページを用いて作成中ジョブを再現して（ステップＳ３２０）、印刷ジョブの作成処理を再開する（ステップＳ３３０）。上述したジョブ中断処理とこのジョブ再開処理により、印刷ジョブを作成している最中に中断したり、再開したりすることができる。
【００４９】
次に、作成中ジョブを入出力について説明する。実施例の印刷ジョブ作成装置２０では、ジョブリスト領域６２に一覧表示された作成中ジョブを選択してファイルとして指定したディレクトリやフォルダに出力したり、他の印刷ジョブ作成装置２０に出力することができる。図１４は、作成中ジョブをファイルとして出力したり他の印刷ジョブ作成装置２０に送信する際に実行されるジョブ出力処理の一例を示すフローチャートである。この処理は、ジョブリスト領域６２から作成中ジョブを選択すると共にメニューバーの「ジョブ」を選択することにより表示されるプルダウンメニューの「エクスポート」を選択することにより実行される。ジョブ出力処理では、まず、図１５に例示するエクスポート管理画面１３０を表示して作成中ジョブをファイル化したジョブファイルの出力先やジョブファイル名，コメントなどの入力を受け付ける処理を実行する（ステップＳ４００）。図１５の例のエクスポート管理画面１３０には、ジョブファイルの出力先やジョブファイル名，コメントの入力欄１３１〜１３３が設けられている。ここで、実施例では、出力先の入力欄１３１の右隣に「参照」ボタン１３４が設けられており、この「参照」ボタン１３４を操作することにより、プルダウンメニューの形式で表示されるディレクトリやフォルダを選択することより、印刷ジョブ作成装置２０のディレクトリやフォルダを出力先として入力することができる他、このプルダウンメニューの形式の表示にはネットワーク１２を介して接続された他の印刷ジョブ作成装置２０も表示されるから、他の印刷ジョブ作成装置２０を選択することにより他の印刷ジョブ作成装置２０を出力先として入力することもできるようになっている。こうしてエクスポート管理画面１３０の各入力欄１３１〜１３３に入力されて「ＯＫ」ボタンが操作されると、作成中ジョブを所定の形式のファイルとして（ステップＳ４１０）、出力先に出力する（ステップＳ４２０）。実施例では、作成中ジョブのファイル化は、作成中ジョブの管理領域１２２に属する部分（図１０参照）、即ち作品管理領域１２２ａとページ格納領域１２２ｂについて行なわれ、画像登録用領域１２４に属する部分（画像管理領域１２４ａと画像格納領域１２４ｂ）については行なわれないものとした。これは、作成中ジョブをファイル化して他の印刷ジョブ作成装置２０に送信する場合には、その後に印刷ジョブの作成を再開する操作者が異なる場合が多く、テンプレートの選択やこのテンプレートに組み込む画像の選択が困難な場合が多いことに基づいている。したがって、実施例では、テンプレートが選択された後の段階の作成中ジョブに対してジョブ出力処理が実行できるのである。なお、テンプレートが選択される前の段階の作成中ジョブに対してジョブ出力処理を実行できるものとしてもよい。この場合、作成中ジョブの管理領域１２２に属する部分に加えて画像登録用領域１２４に属する部分についてもファイル化すればよい。また、実施例では、エクスポート管理画面１３０の出力先の入力欄１３１に他の印刷ジョブ作成装置２０が入力されたときには、出力先としての印刷ジョブ作成装置２０の情報をもってファイル化されたジョブファイルがジョブ管理装置４０に送信される。出力先の情報とジョブファイルとを受信するジョブ管理装置４０の動作については後述する。実施例の印刷ジョブ作成装置２０では、こうしたジョブ出力処理により作成中ジョブをファイルとして所望のディレクトリやフォルダに保存したり、他の印刷ジョブ作成装置２０に出力することができる。
【００５０】
図１６は、ファイル化されたジョブファイルを入力してジョブリスト領域６２に登録する際に実行されるジョブ入力処理の一例を示すフローチャートである。この処理は、メニュー画面６０のメニューバーの「ジョブ」を選択することにより表示されるプルダウンメニューの「インポート」を選択することにより実行される。ジョブ入力処理が実行されると、まず、図１７に例示する入力先選択画面１３５を表示してジョブファイルの入力先を選択する処理を実行する（ステップＳ５００）。図１７の例の入力先選択画面１３５には、入力先の入力欄１３６が設けられており、入力欄１３６に入力先を入力するようになっている。ここで、実施例では、入力先の入力欄１３６の右隣に「参照」ボタン１３７が設けられており、この「参照」ボタン１３７を操作することにより、プルダウンメニューの形式で表示されるディレクトリやフォルダを選択することより、印刷ジョブ作成装置２０のディレクトリやフォルダを入力先として入力することができる他、このプルダウンメニューの形式の表示にはネットワーク１２を介して接続されたジョブ管理装置４０も表示されるから、ジョブ管理装置４０を選択することによりジョブ管理装置４０を入力先として入力することもできるようになっている。こうして入力先の入力欄１３６に入力されて「ＯＫ」ボタンが操作されると、入力先からジョブファイルとコメントとを入力する（ステップＳ５１０）。なお、入力先としてジョブ管理装置４０が入力されたときには、ネットワーク１２を介してジョブ管理装置４０にジョブファイルの送信を要請する。この要請に対してジョブ管理装置４０からジョブファイルとコメントとが送信されるから、送信されたジョブファイルとコメントを入力する処理となる。ジョブファイルを送信する際のジョブ管理装置４０の動作については後述する。
【００５１】
こうしてジョブファイルとコメントとを入力すると、受付順のジョブＩＤを付与し（ステップＳ５２０）、ジョブファイルを作成中ジョブとして対応する管理領域１２２の作品管理領域１２２ａやページ格納領域１２２ｂを作成して格納して（ステップＳ５３０）、ジョブリスト領域６２に表示する（ステップＳ５４０）。なお、入力したコメントは、ジョブリスト領域６２のコメントの欄に表示される。図１８は、ジョブファイルを入力したときの作成中ジョブの管理状態の一例を示す説明図である。この図１８の例では、ジョブファイルを入力すると、「０００ＸＸ」のジョブＩＤを付与すると共にこのジョブＩＤ「０００ＸＸ」に対応する作品管理領域１２２ａ，ページ格納領域１２２ｂを含む管理領域１２２を作成して入力した作成中ジョブを格納している。上述したように、実施例では、テンプレートが選択された後の段階以降の作成中ジョブに対してジョブ出力処理が行なわれ、その際に作成中ジョブの管理領域１２２に属する部分がファイル化されるから、ジョブ入力処理では管理領域１２２に属する部分だけが作成され、画像登録用領域１２４に属する部分については作成されない。なお、テンプレートが選択される前の段階の作成中ジョブに対してもジョブ出力処理が行なわれ、作成中ジョブの管理領域１２２に属する部分と画像登録用領域１２４に属する部分とをファイル化する場合には、ジョブ入力処理でも管理領域１２２に属する部分と画像登録用領域１２４に属する部分を作成するものとすればよい。
【００５２】
次に、ジョブ管理装置４０の動作について説明する。図１９は、印刷ジョブ作成装置２０のジョブ出力処理で出力先として他の印刷ジョブ作成装置２０が入力されたことにより印刷ジョブ作成装置２０からジョブファイルがジョブ管理装置４０に送信される際に実行されるジョブ受信管理処理の一例を示すフローチャートである。ジョブ受信管理処理では、印刷ジョブ作成装置２０からジョブファイルが送信されると、ジョブファイルとこのジョブファイルと共に送信されるコメントをハードディスクなどの図示しない記憶装置に格納し（ステップＳ６００）、ジョブファイルを管理するためのジョブ管理データをジョブ管理データベース４４に登録する（ステップＳ６１０）。ジョブ管理データベース４４に登録されるジョブ管理データのデータ構造の一例を図２０に示す。この例では、ジョブ管理データとしては、登録順に付与されるジョブ番号，ジョブファイルの出力元の印刷ジョブ作成装置２０，ジョブファイルの出力先の印刷ジョブ作成装置２０，ジョブファイル名，ジョブファイルの格納先，コメント格納先，受信日時，送信日時などが含まれる。これらのデータのうち、「送信日時」以外の各データがジョブ受信管理処理のステップＳ６１０の処理で登録され、「送信日時」についてはジョブファイルを出力先の印刷ジョブ作成装置２０に送信したときに登録される。「送信日時」のジョブ管理データベース４４への登録については後述する。
【００５３】
図２１は、出力先の印刷ジョブ作成装置２０にジョブファイルを送信するときにジョブ管理装置４０により実行されるジョブ送信管理処理の一例を示すフローチャートである。このジョブ送信管理処理は、ネットワーク１２を介して印刷ジョブ作成装置２０からジョブファイルの送信の要請を受け付けたときに実行される。ジョブ送信管理処理が実行されると、ジョブ管理装置４０は、要請先の印刷ジョブ作成装置２０が出力先とされたジョブ管理データのうちジョブファイルが未送信のデータをジョブ管理データベース４４から抽出し（ステップＳ７００）、ジョブ管理データにおけるジョブファイル格納先とコメント格納先からジョブファイルとコメントとを読み出して要請先の印刷ジョブ作成装置２０に送信する（ステップＳ７１０）。ジョブファイルとコメントとを受信した印刷ジョブ作成装置２０の動作（ジョブ入力処理）については前述した。
【００５４】
ジョブ管理装置４０では、上述したように、印刷ジョブ作成装置２０から送信されたジョブファイルとコメントとを格納すると共に出力先の印刷ジョブ作成装置２０から送信の要請を受け付けたときに要請先の印刷ジョブ作成装置２０が出力先とされているジョブファイルとコメントを送信するから、送信側は、出力先の印刷ジョブ作成装置２０の状態に拘わらず、作成中ジョブを送信することができ、受信側は、所望のタイミングで作成中ジョブを入力することができる。
【００５５】
次に、印刷ジョブ作成装置２０による印刷ジョブの複製処理について説明する。実施例の印刷ジョブ作成装置２０では、ジョブリスト領域６２に一覧表示された作成中ジョブや実行済みのジョブを選択して同一の印刷サービスや異なる印刷サービスの作成中ジョブを複製することができる。図２２は、作成中ジョブや実行済みジョブを複製する際に印刷ジョブ作成装置２０で実行されるジョブ複製処理の一例を示すフローチャートである。この処理は、ジョブリスト領域６２から作成中ジョブや実行済みのジョブを選択すると共にメニューバーの「ジョブ」を選択することにより表示されるプルダウンメニューの「複製」を選択することにより実行される。ジョブ複製処理では、まず、図２３に例示するサービス選択画面１４０を表示して印刷サービスの選択を受け付ける処理を実行する（ステップＳ８００）。図２３のサービス選択画面１４０では、各印刷サービスの他、アルバムサービスやＣＤ書き込みサービスも選択できるようになっている。
【００５６】
サービス選択画面１４０で印刷サービスが選択されて「ＯＫ」ボタンが操作されると、ジョブＩＤを付与し（ステップＳ８１０）、付与したジョブＩＤに対応する管理領域１２２および画像登録用領域１２４を確保して管理領域１２２内の作品管理領域１２２ａに選択された印刷サービスの情報を格納すると共に（ステップＳ８２０）、確保した画像登録用領域１２４に複製元の作成中ジョブや実行済みのジョブの画像登録用領域１２４内の画像管理領域１２４ａおよび画像格納領域１２４ｂをコピーし（ステップＳ８３０）、ジョブリスト領域６２に追加する（ステップＳ８４０）。実施例では、複製される作成中ジョブの作成工程は、画像の登録処理の工程とされる。図１２に例示したメニュー画面６０のジョブリスト領域６２に表示された印刷サービスが「ポストカード」の作成中ジョブを印刷サービスとして「大伸ばし」を選択して複製したときのメニュー画面６０を図２４に示す。複製された「大伸ばし」の作成中ジョブは、画像の登録処理の工程とされるから、「状況」には、「編集前」と表示される。なお、実行済みの印刷ジョブは、「状況」に「完了」と表示される。
【００５７】
以上説明した実施例の印刷ジョブ作成装置２０によれば、作成途中の印刷ジョブの作成を任意の工程で中断したり、中断した作成中の印刷ジョブの作成を再開することができる。したがって、次々と新たな印刷ジョブの作成に着手することができる。この結果、画像の印刷サービスを業務とする場合に適したものとすることができる。
【００５８】
また、実施例の印刷ジョブ作成装置２０によれば、作成中ジョブをファイルとして出力することができる。しかも、ジョブ管理装置４０に送信して他の印刷ジョブ作成装置２０に出力することができる。この結果、テンプレートを選択して画像を組み込むまでは受付窓口で顧客と行ない、その後の編集や印刷の実行を受付窓口以外の場所に設置された印刷ジョブ作成装置２０で行なうことができる。しかも、作成中ジョブの出力に伴ってコメントも送信するから、作成中ジョブを再開する際の指示を送信することもできる。
【００５９】
さらに、実施例の印刷ジョブ作成装置２０によれば、作成中ジョブや実行済みジョブを同一または異なる印刷サービスの作成中ジョブとして複写することができる。この結果、同一または異なる印刷サービスの印刷ジョブを迅速に作成することができる。即ち、画像の登録処理を行なうことなく所望の印刷サービスの印刷ジョブを作成することができる。
【００６０】
また、実施例のジョブ管理装置４０によれば、印刷ジョブ作成装置２０から出力先が入力されたジョブファイルを受信してジョブ管理データベース４４に登録し、出力先の印刷ジョブ作成装置２０から要請されたときに登録したジョブファイルを要請先の印刷ジョブ作成装置２０に送信することができる。この結果、印刷ジョブ作成装置２０間のジョブファイルのやりとりを管理することができる。
【００６１】
こうした実施例の印刷ジョブ作成装置２０やジョブ管理装置４０を備える印刷ジョブ管理システム１０によれば、印刷ジョブの作成を効率よく行なうことができると共に印刷ジョブの実行も効率よく行なうことができる。
【００６２】
ここで、実施例の印刷ジョブ作成装置２０は、ジョブ中断処理部２６が中断時処理手段に相当し、ジョブ再開処理部２７が再開時処理手段に相当する。また、ジョブ出力管理部２８がジョブファイル出力手段に相当し、ジョブ入力管理部２９がジョブ入力手段に相当する。そして、ジョブ複製処理部３０が複製処理手段に相当する。
【００６３】
また、実施例のジョブ管理装置４０は、ジョブ受信管理部４１がジョブファイル受信処理手段に相当し、ジョブ送信管理部４２がジョブファイル送信処理手段に相当し、ジョブ管理データベース４４が情報記憶手段に相当する。
【００６４】
そして、実施例の印刷ジョブ管理システム１０は、ジョブ中断処理部２６とジョブ再開処理部２７とジョブ出力管理部２８とジョブ入力管理部２９とを備える印刷ジョブ作成装置２０が中断時処理手段と再開時処理手段と送信時処理手段と受信時処理手段とを備える印刷ジョブ作成装置に相当し、ジョブ受信管理部４１とジョブ送信管理部４２とジョブ管理データベース４４とを備えるジョブ管理装置４０がジョブファイル受信処理手段とジョブファイル送信処理手段と情報記憶手段とを備えるジョブ管理装置に相当する。
【００６５】
実施例の印刷ジョブ作成装置２０では、ジョブ出力処理の際に出力先として他の印刷ジョブ作成装置２０を入力したときには、ジョブファイルとコメントをジョブ管理装置４０に送信するものとしたが、ネットワーク１２を介して直接出力先である他の印刷ジョブ作成装置２０に送信するものとしてもよい。この場合、ジョブファイルを受信する印刷ジョブ作成装置２０はジョブファイルを受信するときにジョブ入力処理を行なうものとしてもよいし、予め定めたディレクトリやフォルダに受信したジョブファイルを記憶しておき、後でジョブ入力処理を行なうものとしてもよい。
【００６６】
実施例の印刷ジョブ管理システム１０では、印刷ジョブ作成装置２０とジョブ管理装置４０と大型プリンタ５０とインクジェットプリンタ５２はネットワーク１２によって接続されているものとしたが、図２５に例示する変形例の印刷ジョブ管理システム１０Ｂに示すように、印刷ジョブ作成装置２０Ａとインクジェットプリンタ５２Ａとが接続されたローカルネットワークをファイヤウォールを介してネットワーク１２に接続すると共に印刷ジョブ作成装置２０Ｂと大型プリンタ５０Ｂとインクジェットプリンタ５２Ｂとが接続されたローカルネットワークをファイヤウォールを介してネットワーク１２に接続し、更にジョブ管理装置４０をネットワーク１２に接続してなるものとしてもよい。こうすれば、異なるローカルネットワークに接続された印刷ジョブ作成装置２０間でジョブファイルをやりとりすることができる。
【００６７】
実施例の印刷ジョブ作成装置２０では、メニュー画面６０から印刷サービスとして、大伸ばし，ダイジェスト，カレンダー，アイデア，ポストカード，写真名刺，証明写真，インデックス，シール，ラベルから選択できるものとしたが、これらのすべての印刷サービスを選択できる必要はなく、これらの印刷サービスの一部から選択できるものとしたり、これらの印刷サービスとは異なる印刷サービスから選択できるものとしたり、これらの印刷サービスとは異なる印刷サービスとこれらの印刷サービスとを組み合わせたサービスから選択できるものとしてもよい。
【００６８】
実施例の印刷ジョブ作成装置２０では、印刷サービスの他にアルバムサービスやＣＤ書き込みサービスを選択することができるものとしたが、こうしたアルバムサービスやＣＤ書き込みサービスを選択することができないものとしてもよい。また、ＣＤ書き込みサービスに代えて他の記憶媒体、例えばフレキシブルディスクやＭＤ，ＤＶＤ，フラッシュメモリなどへの書き込みサービスを行なうものとしてもよい。
【００６９】
実施例の印刷ジョブ作成装置２０では、ジョブリスト領域６２に作成中ジョブの情報として、状況，ジョブＩＤ，サービス名，受付時間，更新時間，用紙サイズ，部数，合計枚数，コメントを表示するものとしたが、これらの情報のすべてを表示する必要はなく、これらの情報のうちの一部の情報を表示するものとしたり、これらの情報とは異なる情報を表示するものとしてたり、これらの情報と箱となる情報とこれらの情報の一部とを組み合わせた情報を表示するものとしてもよい。
【００７０】
実施例の印刷ジョブ作成装置２０では、印刷ジョブの作成工程は、印刷サービスの選択した後の工程として，画像の登録処理の工程，テンプレートの選択処理の工程，レイアウトや編集の処理の工程，印刷の工程の４つの工程としたが、工程の設定は如何なる設定としてもかまわない。
【００７１】
実施例の印刷ジョブ作成装置２０では、印刷ジョブの中断は如何なる工程のどの状態でも可能なものとしたが、予め定めた工程の状態のときだけ中断できるものとしてもよい。
【００７２】
実施例の印刷ジョブ作成装置２０では、ジョブ出力処理やジョブ入力処理を行なうものとしたが、ジョブ出力処理やジョブ入力処理を行なわないものとしても差し支えない。また、実施例の印刷ジョブ作成装置２０では、ジョブ複製処理を行なうものとしたが、ジョブ複製処理を行なわないものとしてもかまわない。
【００７３】
実施例では、本発明の一実施形態として印刷ジョブ作成装置２０の形態やジョブ管理装置４０の形態，印刷ジョブ作成装置２０とジョブ管理装置４０とを備える印刷ジョブ管理システム１０の形態として説明したが、コンピュータを印刷ジョブ作成装置２０として機能させるプログラムの形態としたり、コンピュータをジョブ管理装置４０として機能させるプログラムの形態としてもよい。コンピュータを印刷ジョブ作成装置２０として機能させる場合、図３の印刷ジョブ作成処理や図８のジョブ中断処理，図１３のジョブ再開処理，図１４のジョブ出力処理，図１６のジョブ入力処理，図２２のジョブ複製処理の各ステップを各手順として適当なプログラミング言語を用いてプログラムすればよい。また、コンピュータをジョブ管理装置４０として機能させるプログラムの形態の場合、図１９のジョブ受信管理処理や図２１のジョブ送信管理処理の各ステップを各手順として適当なプログラミング言語を用いてプログラムすればよい。
【００７４】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】印刷ジョブ管理システム１０の構成の概略を示す構成図。
【図２】メニュー画面６０の一例を示す説明図。
【図３】印刷ジョブ作成処理の一例を示すフローチャート。
【図４】画像登録画面７０の一例を示す説明図。
【図５】テンプレート選択画面８０の一例を示す説明図。
【図６】レイアウト編集画面９０の一例を示す説明図。
【図７】印刷画面１００の一例を示す説明図。
【図８】ジョブ中断処理の一例を示すフローチャート。
【図９】確認画面１１０の一例を示す説明図である。
【図１０】作成中ジョブの管理状態の一例を示す説明図。
【図１１】メニュー画面６０の一例を示す説明図。
【図１２】メニュー画面６０の一例を示す説明図。
【図１３】ジョブ再開処理の一例を示すフローチャート。
【図１４】ジョブ出力処理の一例を示すフローチャート。
【図１５】エクスポート管理画面１３０の一例を示す説明図。
【図１６】ジョブ入力処理の一例を示すフローチャート。
【図１７】入力先選択画面１３５の一例を示す説明図。
【図１８】作成中ジョブの管理状態の一例を示す説明図。
【図１９】ジョブ受信管理処理の一例を示すフローチャート。
【図２０】ジョブ管理データのデータ構造の一例を示す説明図。
【図２１】ジョブ送信管理処理の一例を示すフローチャート。
【図２２】ジョブ複製処理の一例を示すフローチャート。
【図２３】サービス選択画面１４０の一例を示す説明図。
【図２４】メニュー画面６０の一例を示す説明図。
【図２５】変形例の印刷ジョブ管理システム１０Ｂの構成図。
【符号の説明】
１０，１０Ｂ  印刷ジョブ管理システム、１２  ネットワーク、２０，２０Ａ，２０Ｂ  印刷ジョブ作成装置、２１  サービス設定管理部、２２  画像登録管理部、２３  テンプレート設定管理部、２４  レイアウト編集管理部、２５  印刷管理部、２６  ジョブ中断処理部、２７  ジョブ再開処理部、２８  ジョブ出力管理部、２９  ジョブ入力管理部、３０  ジョブ複製処理部、４０  ジョブ管理装置、４１  ジョブ受信管理部、４２  ジョブ送信管理部、４４  ジョブ管理データベース、５０，５０Ｂ  大型プリンタ、５２，５２Ａ，５２Ｂ  インクジェットプリンタ、６０  メニュー画面、６１  サービス選択領域、６２  ジョブリスト領域、６３  「アプリケーションの終了」ボタン、６４  「環境設定」ボタン、７０  画像登録画面、７１，８１，９１，１０１  工程表示領域、７１ａ，８１ａ，９１ａ，１０１ａ  「サービス種類表示」ボタン，７１ｂ，８１ｂ，９１ｂ，１０１ｂ  「画像登録」ボタン、７１ｃ，８１ｃ，９１ｃ，１０１ｃ  「テンプレート選択」ボタン、７１ｄ，８１ｄ，９１ｄ，１０１ｄ  「レイアウト編集」ボタン、７１ｅ，８１ｅ，９１ｅ，１０１ｅ  「印刷」ボタン、７１ｆ，８１ｆ，９１ｆ，１０１ｆ  「メニューに戻る」ボタン、７２  画像登録処理領域、７２ａ，８２ａ，９２ａ  「次のステップへ」ボタン、７２ｂ，８２ｂ，９２ｂ，１０２ｂ  「前のステップへ」ボタン、７３  作業領域、７４  画像選択領域、７４ａ  格納場所表示領域７４ａ，７４ｂ  画像表示領域、７５  登録画像表示領域、７５ａ  画像表示領域、７５ｂ  「登録削除」ボタン、７５ｃ  「すべて登録削除」ボタン、７６  「登録」ボタン、７７  「すべて登録」ボタン、８０  テンプレート選択画面、８２  テンプレート選択処理領域、８３  設定領域、８４  テンプレート選択領域、８５ａ〜８５ｆ  タグ、８６ａ  テンプレート表示領域、９０  レイアウト編集画面、９２  レイアウト編集処理領域、９２ｃ  「編集」ボタン、９２ｄ  「表示倍率」ボタン、９３  レイアウト編集領域、９４  画像選択領域、９４ａ  「配置」ボタン、９４ｂ  「入れ替え」ボタン、９４ｃ  「複数配置」ボタン、９５ａ，９５ｂ  タグ、９６ａ  画像表示領域、９７  サムネイル表示領域、１００  印刷画面、１０２  印刷処理領域、１０２ｃ  「印刷開始」ボタン、１０２ｄ  「書き出し」ボタン、１０３  印刷画像表示領域、１０４  ジョブ情報表示領域、１０５  印刷条件設定領域、１０６  プリンタ設定領域、１１０  確認画面、１２０  ジョブ管理ファイル、１２２  管理領域、１２２ａ  作品管理領域、１２２ｂ  ページ格納領域、１２４  画像登録用領域、１２４ａ  画像管理領域、１２４ｂ  画像格納領域、１３０  エクスポート管理画面、１３１〜１３３  入力欄、１３４  「参照」ボタン、１３５  入力先選択画面、１３６  入力欄、１３７  「参照」ボタン、１４０  サービス選択画面。
【図１】
2004280161.tif 000003
【図２】
2004280161.tif 000004
【図３】
2004280161.tif 000005
【図４】
2004280161.tif 000006
【図５】
2004280161.tif 000007
【図６】
2004280161.tif 000008
【図７】
2004280161.tif 000009
【図８】
2004280161.tif 000010
【図９】
2004280161.tif 000011
【図１０】
2004280161.tif 000012
【図１１】
2004280161.tif 000013
【図１２】
2004280161.tif 000014
【図１３】
2004280161.tif 000015
【図１４】
2004280161.tif 000016
【図１５】
2004280161.tif 000017
【図１６】
2004280161.tif 000018
【図１７】
2004280161.tif 000019
【図１８】
2004280161.tif 000020
【図１９】
2004280161.tif 000021
【図２０】
2004280161.tif 000022
【図２１】
2004280161.tif 000023
【図２２】
2004280161.tif 000024
【図２３】
2004280161.tif 000025
【図２４】
2004280161.tif 000026
【図２５】
2004280161.tif 000027